(57)【要約】【課題】上下反転される使用において光源の上下をバランスよく冷却できる光源装置を提供する。【解決手段】光源装置３１は、光源３１１およびリフレクターを収納し、冷却空気が流入する流入口、および第１姿勢において流入口から流入した冷却空気を光源３１１の上部、下部にそれぞれ導く第１流路１０、第２流路２０を有する光源用筐体と、第１姿勢と、上下反転された第２姿勢とで異なる位置に移動し、第１姿勢において、第２流路２０より第１流路１０に多くの風量を流入させ、第２姿勢において、第１流路１０より第２流路２０に多くの風量を流入させる整流部６と、を備え、第１姿勢および第２姿勢において、第１流路１０および第２流路２０のうち、下側となる一方の開口面積に対する上側となる他方の開口面積の比率は、第１流路１０および第２流路２０における通風抵抗の大きい側が下側となる場合より上側となる場合の方が大きい。【選択図】図１０
2015165267.tif 000002
【特許請求の範囲】
【請求項１】
光を射出する光源と、
前記光源から射出された光を反射するリフレクターと、
前記光源および前記リフレクターを収納し、冷却空気が流入する流入口、および第１姿勢において前記流入口から流入した冷却空気を前記光源の上部、下部にそれぞれ導く第１流路、第２流路を有する光源用筐体と、
前記第１姿勢と、前記第１姿勢に対して前記光源用筐体が上下反転された第２姿勢とで異なる位置に移動して、前記流入口における前記第１流路および前記第２流路の冷却空気が流入するそれぞれの開口部の開口面積の大きさを変更し、前記第１姿勢において、前記第２流路より前記第１流路に多くの風量を流入させ、前記第２姿勢において、前記第１流路より前記第２流路に多くの風量を流入させる整流部と、
を備え、
前記第１姿勢および前記第２姿勢において、前記第１流路および前記第２流路のうち、下側となる一方の前記開口面積に対する上側となる他方の前記開口面積の比率は、前記第１流路および前記第２流路における通風抵抗の大きい側が下側となる場合より上側となる場合の方が大きいことを特徴とする光源装置。
【請求項２】
請求項１に記載の光源装置であって、
前記整流部は、回動自在に前記光源用筐体に支持され、
前記光源用筐体は、
前記第１姿勢において、前記整流部の回動を規制する第１規制部と、
前記第２姿勢において、前記整流部の回動を規制する第２規制部と、
を有することを特徴とする光源装置。
【請求項３】
請求項２に記載の光源装置であって、
前記整流部の回動する中心軸は、前記第１姿勢における前記光源の光軸を通る水平面から離間した位置に配置されることを特徴とする光源装置。
【請求項４】
請求項１〜請求項３のいずれか一項に記載の光源装置であって、
前記光源用筐体は、前記流入口に併設され、冷却空気が流入する開口部、および前記第１姿勢および前記第２姿勢において、当該開口部から流入する冷却空気を前記光源の上部と下部との間に導く流路を有していることを特徴とする光源装置。
【請求項５】
請求項１〜請求項４のいずれか一項に記載の光源装置であって、
前記光源用筐体は、前記流入口に併設され、冷却空気が流入する開口部、および当該開口部から流入する冷却空気を前記リフレクターの光を反射する側とは反対側に導く流路を有していることを特徴とする光源装置。
【請求項６】
請求項１〜請求項５のいずれか一項に記載の光源装置と、
前記光源装置から射出された光を画像情報において変調する光変調装置と、
前記光変調装置にて変調された光を投写する投写レンズと、
前記光源装置に冷却空気を送風する冷却ファンと、
を備えることを特徴とするプロジェクター。
【請求項７】
請求項６に記載のプロジェクターであって、
前記第１姿勢と前記第２姿勢とで前記冷却ファンを異なる回転速度で制御可能な制御部を備えることを特徴とするプロジェクター。
【発明の詳細な説明】
【技術分野】
【０００１】
本発明は、光源装置、およびプロジェクターに関する。
【背景技術】
【０００２】
従来、光源装置から射出された光を画像情報に応じて変調し、変調した光をスクリーン等の投写面に投写するプロジェクターが知られている。この光源装置には、超高圧水銀ランプ等の放電型の光源が用いられている。光源は、発光に伴って発熱し、熱対流等の影響により、上部が下部より高温となる。そして、光源は、高温状態が継続すると失透し、また上部と下部との温度差が大きくなると黒化が生じて劣化する。
ところで、プロジェクターは、例えば、机上や床等に載置される据置き姿勢と、据置き姿勢から上下が反転され、天井等に設置される天吊り姿勢とで利用される場合がある。このため、据置き姿勢および天吊り姿勢のいずれか一方の姿勢に対応して、光源の下部より上部により多くの風量が送風されるように構成されていると、他方の姿勢で光源装置を適切に冷却できないという問題がある。
そこで、据置き姿勢および天吊り姿勢において、光源を効率よく冷却する技術が提案されている（例えば、特許文献１参照）。
【０００３】
特許文献１に記載の光源装置は、光源１、リフレクター１１、ランプ保持部材１４、外気を導く導管であるダクト２１、ダクト２１内で重力によって回動自在に支持された風向制御板２２、および風向制御板２２がダクト２１内で所定の角度に位置するように回動を制限するストッパー２４ａ，２４ｂを備える。
ダクト２１に送り込まれた冷却風３１は、床置き姿勢（据置き姿勢）、および天吊り姿勢において、下側より上側の風量が多くなるように風向制御板２２により二分されてリフレクター内に送風される。
【先行技術文献】
【特許文献】
【０００４】
【特許文献１】特開２００２−２９８６３９号公報
【発明の概要】
【発明が解決しようとする課題】
【０００５】
しかしながら、特許文献１に記載の光源装置は、風向制御板によって、冷却風を二分するとはいうものの、二分された冷却風が光源の側方から送風されるように構成されているため、二分された冷却風は、光源の前で合流する成分が多く、光源の下部より上部に多くの風量を送風するのが難しいと考えられる。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、光を射出する光源と、前記光源から射出された光を反射するリフレクターと、前記光源および前記リフレクターを収納し、冷却空気が流入する流入口、および第１姿勢において前記流入口から流入した冷却空気を前記光源の上部、下部にそれぞれ導く第１流路、第２流路を有する光源用筐体と、前記第１姿勢と、前記第１姿勢に対して前記光源用筐体が上下反転された第２姿勢とで異なる位置に移動して、前記流入口における前記第１流路および前記第２流路の冷却空気が流入するそれぞれの開口部の開口面積の大きさを変更し、前記第１姿勢において、前記第２流路より前記第１流路に多くの風量を流入させ、前記第２姿勢において、前記第１流路より前記第２流路に多くの風量を流入させる整流部と、を備え、前記第１姿勢および前記第２姿勢において、前記第１流路および前記第２流路のうち、下側となる一方の前記開口面積に対する上側となる他方の前記開口面積の比率は、前記第１流路および前記第２流路における通風抵抗の大きい側が下側となる場合より上側となる場合の方が大きいことを特徴とする。
【０００８】
ここで、通風抵抗とは、所謂、システムインピーダンスと同様のものであり、流路内における空気の流れを妨げる抵抗をいい、流路が狭かったり、曲がったりすると、通風抵抗は大きくなり、空気が流れにくくなる。
この構成によれば、整流部が移動することによって、第１姿勢または第２姿勢において上側となる第１流路または第２流路の開口面積は、第１流路および第２流路における通風抵抗の大きい側が下側となる場合より上側となる場合の方が大きくなる。これによって、第１流路の形状と第２流路の形状とが異なり、通風抵抗が異なるように構成された場合であっても、第１姿勢および第２姿勢において、光源の上部に下部より多くの風量で、かつ、第１姿勢と第２姿勢とで光源の上部、下部に同様に冷却空気を送風することが可能となる。よって、第１流路および第２流路の形状の自由度を高めつつ、上下反転される使用において光源の上下をバランスよく冷却し、長寿命化を図った光源装置の提供が可能となる。
【０００９】
［適用例２］上記適用例に係る光源装置において、前記整流部は、回動自在に前記光源用筐体に支持され、前記光源用筐体は、前記第１姿勢において、前記整流部の回動を規制する第１規制部と、前記第２姿勢において、前記整流部の回動を規制する第２規制部と、を有することが好ましい。
【００１０】
この構成によれば、整流部は、光源用筐体に支持されて自重によって回動し、第１姿勢において、第１規制部に規制され、第２姿勢において第２規制部に規制されて位置が決められる。これによって、簡単な構造で、第１流路の開口面積および第２流路の開口面積の大きさを所定の大きさに変更することが可能となる。
【００１１】
［適用例３］上記適用例に係る光源装置において、前記整流部の回動する中心軸は、前記第１姿勢における前記光源の光軸を通る水平面から離間した位置に配置されることが好ましい。
【００１２】
この構成によれば、整流部の中心軸は、上述する水平面から離間しているので、第１流路および第２流路のうち、下側となる一方の開口面積に対する上側となる他方の開口面積の比率を、第１姿勢と第２姿勢とで容易に変えることができる。
【００１３】
［適用例４］上記適用例に係る光源装置において、前記光源用筐体は、前記流入口に併設され、冷却空気が流入する開口部、および前記第１姿勢および前記第２姿勢において、当該開口部から流入する冷却空気を前記光源の上部と下部との間に導く流路を有していることが好ましい。
【００１４】
この構成によれば、光源用筐体には、上述した開口部を有する流路が設けられているので、同一側から送風される冷却空気で光源の上部、下部に加え、上部と下部との間から光源に冷却空気を送風することができる。これによって、第１姿勢および第２姿勢において、さらに効率よく光源を冷却できる光源装置の提供が可能となる。
【００１５】
［適用例５］上記適用例に係る光源装置において、前記光源用筐体は、前記流入口に併設され、冷却空気が流入する開口部、および当該開口部から流入する冷却空気を前記リフレクターの光を反射する側とは反対側に導く流路を有していることが好ましい。
【００１６】
この構成によれば、光源用筐体には、上述した開口部を有する流路が設けられているので、同一側から送風される冷却空気で光源の上部、下部に加え、リフレクターの光を反射する側とは反対側に冷却空気を送風することができる。これによって、第１姿勢および第２姿勢において、さらに効率よく光源を冷却できる光源装置の提供が可能となる。
【００１７】
［適用例６］本適用例に係るプロジェクターは、上述したいずれか一項に記載の光源装置と、前記光源装置から射出された光を画像情報において変調する光変調装置と、前記光変調装置にて変調された光を投写する投写レンズと、前記光源装置に冷却空気を送風する冷却ファンと、を備えることを特徴とする。
【００１８】
この構成によれば、プロジェクターは、上述した光源装置を備えているので、床や机上に据え置かれる据置き姿勢、および据置き姿勢に対して上下反転されて天井等に天吊りされる天吊り姿勢において、光源を適正に冷却することができる。よって、長期に亘って安定した画像の投写が可能なプロジェクターを提供できる。
【００１９】
［適用例７］上記適用例に係るプロジェクターにおいて、前記第１姿勢と前記第２姿勢とで前記冷却ファンを異なる回転速度で制御可能な制御部を備えることが好ましい。
【００２０】
この構成によれば、整流部の移動によって第１流路および第２流路の開口面積の大きさの変更に加え、第１流路および第２流路に流通する冷却空気の風量や、風速を制御することができる。これによって、据置き姿勢と天吊り姿勢とで、さらに同条件に近づけて光源を冷却することが可能となる。
【図面の簡単な説明】
【００２１】
【図１】本実施形態のプロジェクターの概略構成を示す模式図。
【図２】本実施形態の光源およびリフレクターの断面図。
【図３】本実施形態の光源装置の斜視図。
【図４】本実施形態におけるダクト部材およびカバーを取り外した光源装置の斜視図。
【図５】本実施形態の筐体本体の斜視図。
【図６】本実施形態の筐体本体を外面側から見た斜視図。
【図７】本実施形態のダクト部材を外面側から見た斜視図。
【図８】本実施形態のダクト部材および整流部の斜視図。
【図９】本実施形態の整流部の斜視図。
【図１０】第１比率と第２比率とが異なることを説明するための光源装置の模式図。
【図１１】冷却空気の流れを説明するための図。
【発明を実施するための形態】
【００２２】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置される据置き姿勢、および据置き姿勢から上下反転され、天井等に設置される天吊り姿勢で投写可能に構成されている。据置き姿勢は第１姿勢に相当し、天吊り姿勢は、第２姿勢に相当する。
【００２３】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源装置３１を有する光学ユニット３、および冷却装置４を備えている。なお、図示は省略するが、外装筐体２の内部には、さらに、光源装置３１、制御部や冷却装置４に電力を供給する電源装置等が配置されている。
【００２４】
外装筐体２は、詳細な説明は省略するが、複数の部材で構成され、外気を取り込む吸気口、および外装筐体２内部の温まった空気を外部に排気する排気口等が設けられている。
【００２５】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４に備えられたファンの回転速度の制御等を行う。
【００２６】
〔光学ユニットの構成〕
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、電気光学装置３５、投写レンズ３６、およびこれらの光学部品３１〜３６を光路上の所定位置に配置する光学部品用筐体３７を備える。
【００２７】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光が射出される方向を＋Ｘ方向、投写レンズ３６から光が射出される方向を＋Ｙ方向（前側）、プロジェクター１の据置き姿勢における上側を＋Ｚ方向として記載する。
【００２８】
光源装置３１は、超高圧水銀ランプやメタルハライドランプ等からなる放電型の光源３１１、リフレクター３１２、平行化レンズ３１３、光源用筐体５、および整流部６等を備える。
図２は、光源３１１およびリフレクター３１２の断面図である。
光源３１１は、図２に示すように、発光管３１１１、一対の電極３１１２，３１１３、およびリード線３１１４，３１１５を備える。
発光管３１１１は、石英ガラス等の耐熱ガラスで形成され、図２に示すように、中央に設けられた球状の発光部３１１１ａ、およびこの発光部３１１１ａの両側から延出する一対の封止部３１１１ｂ，３１１１ｃを有している。
【００２９】
発光部３１１１ａ内には、水銀、希ガス、およびハロゲン等が封入された放電空間が形成されており、一対の電極３１１２，３１１３は、互いの先端がこの放電空間に近接対向して配置されている。
一対の封止部３１１１ｂ，３１１１ｃの内部には、電極３１１２，３１１３とそれぞれ電気的に接続される一対の金属箔３１１６が配置されている。
リード線３１１４，３１１５は、一端が金属箔３１１６を介して電極３１１２，３１１３それぞれに接続され、他端が封止部３１１１ｂ，３１１１ｃの外部まで延出している。光源３１１は、これらリード線３１１４，３１１５に電力が供給されると、対向している電極３１１２，３１１３の間で放電が発生して光を射出する。
【００３０】
光源３１１は、発光管３１１１が発光することで発熱するが、熱対流等の影響により上部の方が下部よりも温度上昇が大きく、特に発光部３１１１ａの上部表面付近の温度が上昇し易い。
発光部３１１１ａは、冷却が不足して上部の温度が上がり過ぎると、基材が再結晶化することにより白濁が起きてしまう。一方、発光部３１１１ａは、冷却が過剰になって下部において温度が下がり過ぎると、電極３１１２，３１１３のハロゲンサイクルが正常に行われず発光部３１１１ａの内壁に電極３１１２，３１１３の基材が付着することにより黒化が起きてしまう。白濁や黒化が起きるとその部分が失透し、発光部３１１１ａから射出される光量が低下するとともに、高温による発光管３１１１の破損や劣化を招くこととなる。そのため、発光管３１１１を冷却する際は、発光管３１１１の上部側から冷却し、上部と下部とで温度差が生じないようにすることが望ましい。
【００３１】
また、発光部３１１１ａから射出される光の領域内に位置する封止部３１１１ｂも温度上昇し易く、例えば、金属箔３１１６とリード線３１１４との接続部等は温度上昇が大きい。これらの部分の冷却が不足すると、金属箔３１１６が酸化して黒化し、光をより吸収し易くなってさらに温度が上昇して発光管３１１１の破損や劣化を招くおそれがある。そのため、光源３１１を冷却する際は、発光部３１１１ａだけでなく、封止部３１１１ｂも効果的に冷却することが望ましい。
【００３２】
リフレクター３１２は、図２に示すように、筒状の首状部３１２１および首状部３１２１から断面略凹状に拡がる反射部３１２２を有している。
首状部３１２１には、一方の封止部３１１１ｃが挿通される挿通孔が設けられており、光源３１１は、封止部３１１１ｂが首状部３１２１とは反対側に位置し、封止部３１１１ｃとこの挿通孔との間に接着剤が注入されて、リフレクター３１２に固定される。
反射部３１２２は、内面に金属薄膜が蒸着されており、発光部３１１１ａから射出された光を首状部３１２１とは反対側に反射する。
また、リフレクター３１２には、図２に示すように、首状部３１２１の一部に反射部３１２２の内側から外側に開口する開口部３１２３が形成されている。
【００３３】
図１に戻って、光源装置３１は、光源３１１から射出された光をリフレクター３１２にて反射した後、平行化レンズ３１３によって射出方向を揃え、インテグレーター照明光学系３２に向けて射出する。
【００３４】
光源用筐体５は、光源３１１およびリフレクター３１２を収納し、冷却装置４における冷却ファン４１（図１参照）から送出された冷却空気が流通する複数の流路が設けられている。
整流部６は、冷却ファン４１の空気吐出側に配置され、光源用筐体５に回動自在に支持される。整流部６は、プロジェクター１の据置き姿勢（第１姿勢）、および天吊り姿勢（第２姿勢）に応じて自重で回動し、光源用筐体５に設けられた複数の流路へ流通させる冷却空気の風量を変え、光源装置３１が効率よく冷却されるように構成されている。光源用筐体５および整流部６については後で詳細に説明する。
【００３５】
インテグレーター照明光学系３２は、図１に示すように、レンズアレイ３２１，３２２、偏光変換素子３２３、および重畳レンズ３２４を備える。レンズアレイ３２１，３２２、および重畳レンズ３２４は、光源装置３１から射出された光を後述する液晶ライトバルブ３５１の表面で略均一化させる。偏光変換素子３２３は、レンズアレイ３２２から射出されたランダム光を後述する液晶ライトバルブ３５１で利用可能な第１の直線偏光光に揃える。
【００３６】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３７】
リレー光学系３４は、入射側レンズ３４１、リレーレンズ３４３、および反射ミラー３４２，３４４を備え、色分離光学系３３で分離されたＲ光をＲ光用の液晶ライトバルブ３５１まで導く機能を有する。なお、光学ユニット３は、リレー光学系３４がＲ光を導く構成としているが、これに限らず、例えば、Ｂ光を導く構成としてもよい。
【００３８】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００３９】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、および液晶パネルの光入射側に配置された入射側偏光板、液晶パネルの光射出側に配置された射出側偏光板を有している。
【００４０】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００４１】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００４２】
投写レンズ３６は、複数のレンズ（図示省略）を有して構成され、クロスダイクロイックプリズム３５２にて合成された光を投写面上に拡大投写する。
【００４３】
冷却装置４は、図１に示すように、光源装置３１の後方（−Ｙ方向）に配置される冷却ファン４１、光源装置３１の前方（＋Ｙ方向）に配置される排気ファン４２、および図示しない吸気ファンやダクト部材等を備えている。
冷却ファン４１は、後で詳細に説明するが、シロッコファンで構成され、光源用筐体５に冷却空気を送風し、光源装置３１を冷却する。
図示しない吸気ファンは、外装筐体２の吸気口から外気を取り込み、この外気は、ダクト部材に導かれて液晶ライトバルブ３５１等の光学素子を冷却する。
排気ファン４２は、軸流ファンで構成され、光源装置３１や液晶ライトバルブ３５１等を冷却して暖まった外装筐体２内部の空気を、外装筐体２の排気口から外部に排出する。
【００４４】
〔光源用筐体および整流部の構成〕
ここで、光源用筐体５および整流部６について、詳細に説明する。
図３は、光源装置３１の斜視図である。
先ず、光源用筐体５について説明する。
光源用筐体５は、図３に示すように、光源用筐体５の＋Ｘ側を形成する筐体本体７、筐体本体７の−Ｙ側に配置され、筐体本体７とで複数の流路を形成するダクト部材８、および光源用筐体５の−Ｘ側を形成し、筐体本体７とで光源３１１およびリフレクター３１２を収納するカバー９を備える。
【００４５】
図４は、ダクト部材８およびカバー９を取り外した光源装置３１の斜視図である。図５は、筐体本体７の斜視図であり、（ａ）は外面側から見た図、（ｂ）は内面側から見た図である。
筐体本体７は、図４、図５に示すように、略直方体の箱状に形成され、＋Ｘ側および−Ｘ側には、開口部が形成されている。そして、図４に示すように、＋Ｘ側の開口部には、平行化レンズ３１３が配置され、光源３１１が固定されたリフレクター３１２は、−Ｘ側の開口部から筐体本体７に配置される。
【００４６】
筐体本体７の内面側の形状を説明する。
筐体本体７は、−Ｘ側から見て平面視矩形状に形成されており、図５（ｂ）に示すように、周縁部の内側が＋Ｘ側に窪む第１凹部７１を有し、第１凹部７１の中央部には、さらに＋Ｘ側に窪む第２凹部７２が形成されている。リフレクター３１２は、第１凹部７１に配置され、リフレクター３１２に固定された光源３１１は、封止部３１１１ｂ（図２参照）の先端が第２凹部７２内に位置する。また、筐体本体７周縁部の−Ｘ側の四隅には、カバー９を取り付けるためのネジ穴７ｈが形成されている。
【００４７】
図５（ｂ）に示すように、第２凹部７２を形成する側壁７２１には、光源用筐体５に設けられた複数の流路から冷却空気が流出する複数の流出口７２１ａ，７２１ｂ，７２１ｃが形成されている。具体的に、流出口７２１ａは、上側の側壁７２１に設けられ、流出口７２１ｂは、下側の側壁７２１に設けられ、流出口７２１ｃは、−Ｙ側の側壁７２１に設けられている。
また、＋Ｙ側の側壁７２１には、筐体本体７の内部から外部に空気が流出する流出口７２１ｄが形成されている。
また、第１凹部７１の底面（＋Ｘ側の面）を形成する壁部７１１には、流出口７２１ｃの下方に位置する流出口７１１ａが形成されている。
【００４８】
次に、筐体本体７の外面側の形状を説明する。
図５（ａ）に示すように、筐体本体７には、側壁７２１の外面から−Ｙ方向に突出する直方体状の突出部７３、および壁部７４が形成されている。
突出部７３には、上下に併設された開口部７３ａ，７３ｂが設けられ、開口部７３ａ，７３ｂの−Ｘ側には、−Ｙ方向に突出する板状部７３４が形成されている。
開口部７３ａ，７３ｂのうち、上側に位置する開口部７３ａは、流出口７２１ｃ（図５（ｂ）参照）に連通しており、この開口部７３ａと流出口７２１ｃとの間に流路３０が形成されている。
開口部７３ａ，７３ｂのうち、下側に位置する開口部７３ｂは、流出口７１１ａ（図５（ｂ）参照）に連通しており、この開口部７３ｂと流出口７１１ａとの間に流路４０が形成されている。
【００４９】
また、突出部７３の＋Ｘ側の面には、図５（ａ）に示すように、基端側に凹部７３１が形成され、先端側に一対の突起７３２，７３３が設けられている。
凹部７３１は、光源３１１の光軸３１Ｌ（図４参照）に略平行の中心軸７３ｊを中心として平面視円形に形成されている。凹部７３１は、整流部６の後述する一対の突起６２（図９参照）の一方が挿入される部位であり、整流部６は、ダクト部材８の後述する切欠き８３１１（図８（ａ）参照）に他方の突起６２が挿入され、筐体本体７とダクト部材８とに回動自在に支持される。また、中心軸７３ｊは、据置き姿勢において、光軸３１Ｌを通る水平面から離間した位置、本実施形態においては、この水平面の上方に位置するように形成されている。
【００５０】
突起７３２，７３３は、円柱形状を有して＋Ｘ方向に突出し、上下方向に併設されている。突起７３２は、突起７３３の下方に位置し、プロジェクター１の据置き姿勢において、ダクト部材８の後述する突起８３１２とで整流部６の回動を規制する（図８（ａ）参照）。突起７３３は、プロジェクター１の天吊り姿勢において、ダクト部材８の後述する突起８３１３とで整流部６の回動を規制する（図８（ｂ）参照）。
【００５１】
図６は、筐体本体７を外面側から見た斜視図であり、下方斜めから見た図である。
壁部７４は、図５（ａ）、図６に示すように、突出部７３から＋Ｘ側に離間する側壁部７４１、側壁部７４１に接続され、筐体本体７の上方に突出する上壁部７４２、および側壁部７４１に接続され、筐体本体７の下方に突出する下壁部７４３を有している。
【００５２】
図５（ａ）に示すように、筐体本体７の上面には、上壁部７４２と壁部７１１とを接続する壁部７５が形成されており、さらに、この壁部７５から−Ｙ方向に延出し、側壁７２１の外面に沿い、突出部７３の上面から突出する立壁７６が設けられている。
また、図６に示すように、筐体本体７の下面には、下壁部７４３と壁部７１１とを接続する壁部７７が形成されており、さらに、この壁部７７から−Ｙ方向に延出し、側壁７２１の外面に沿い、突出部７３の下面から突出する立壁７８が設けられている。
【００５３】
そして、筐体本体７には、図５（ａ）に示すように、側壁部７４１の上側、上壁部７４２、壁部７５および立壁７６で囲まれる領域Ａが形成され、図６に示すように、側壁部７４１の下側、下壁部７４３、壁部７７および立壁７８で囲まれる領域Ｂが形成される。そして、筐体本体７にダクト部材８が取り付けられることで、領域Ａに第１流路１０が形成され、領域Ｂに第２流路２０が形成される。据置き姿勢（第１姿勢）において、第１流路１０は、第２流路２０の上側に位置し、天吊り姿勢において、第２流路２０は、第１流路１０の上側に位置する。
【００５４】
前述した流出口７２１ａ（図５（ｂ）参照）は、図５（ａ）に示すように、領域Ａ内の壁部７５の−Ｙ側に設けられ、第１流路１０を流れた冷却風は、この流出口７２１ａから筐体本体７内に流出する。流出口７２１ａは、図５（ａ）に示すように、壁部７５に併設された突起部７２１１によってＹ方向において略２分されている。また、流出口７２１ａの−Ｙ側周縁、つまり、第１流路１０において、突起部７２１１の上流側には、突起部７２１２が形成されている。
突起部７２１１，７２１２は、上壁部７４２から離間しており、突起部７２１１より突起部７２１２の方が上壁部７４２からの離間距離が大きく形成されている。
また、図５（ａ）に示すように、壁部７５には、壁部７１１近傍に挿通孔７５１が形成されている。
【００５５】
前述した流出口７２１ｂ（図５（ｂ）参照）は、図６に示すように、領域Ｂ内の壁部７７の−Ｙ側に設けられ、第２流路２０を流れた冷却風は、この流出口７２１ｂから筐体本体７内に流出する。流出口７２１ｂは、図６に示すように、壁部７７に併設された突起部７２１３によってＹ方向において略２分されている。また、流出口７２１ｂの−Ｙ側周縁、つまり、第２流路２０において、突起部７２１３の上流側には、突起部７２１４が形成されている。
突起部７２１３，７２１４は、下壁部７４３から離間しており、突起部７２１３より突起部７２１４の方が下壁部７４３からの離間距離が大きく形成されている。
また、図６に示すように、壁部７７には、壁部７１１近傍に挿通孔７７１が形成されている。
【００５６】
ダクト部材８は、筐体本体７の−Ｙ側に取り付けられ、前述したように、筐体本体７とで第１流路１０、および第２流路２０を形成する。
図７は、ダクト部材８を外面側から見た斜視図である。図８は、ダクト部材８および整流部６の斜視図であり、（ａ）は、据置き姿勢における整流部６の位置を示す図、（ｂ）は、天吊り姿勢における整流部６の位置を示す図である。
【００５７】
ダクト部材８は、図７に示すように、第１ダクト部８１、第２ダクト部８２およびダクト中央部８３を有している。
第１ダクト部８１は、前述した領域Ａ（図５（ａ）参照）を覆い、筐体本体７とで第１流路１０を形成する。第２ダクト部８２は、前述した領域Ｂ（図６参照）を覆い、筐体本体７とで第２流路２０を形成する。
【００５８】
第１ダクト部８１は、図８（ａ）に示すように、上下方向の厚さが第２ダクト部８２より薄く形成されている。すなわち、第１流路１０の上下方向の大きさは、第２流路２０の上下方向の大きさより小さく形成されており、第１流路１０の通風抵抗は、第２流路２０の通風抵抗より大きなものとなっている。このため、第２流路２０より第１流路１０の方が冷却空気が流れにくい形状となっている。
また、第１ダクト部８１の先端には、図８（ａ）に示すように、挿通孔７５１（図５（ａ）参照）に挿通される突起８１１が設けられ、第２ダクト部８２の先端には、挿通孔７７１（図６参照）に挿通される突起８２１が設けられている。
【００５９】
ダクト中央部８３は、図７に示すように、第１ダクト部８１と第２ダクト部８２とを接続し、＋Ｘ側を形成する壁部８３１、および−Ｙ側を形成する壁部８３２を有している。
壁部８３１は、図８（ａ）に示すように、第１ダクト部８１および第２ダクト部８２の＋Ｘ側を形成するそれぞれの壁部と接続され、＋Ｙ側端面の中央部には、切欠き８３１１が形成され、内面には、円柱形を有して−Ｘ方向に突出する一対の突起８３１２，８３１３が設けられている。
【００６０】
切欠き８３１１は、筐体本体７の凹部７３１（図５（ａ）参照）に対向する位置に形成され、前述したように、整流部６の一方の突起６２が挿入される。
突起８３１２は、筐体本体７の突起７３２（図５（ａ）参照）に対向する位置に形成され、突起８３１３は、筐体本体７の突起７３３（図５（ａ）参照）に対向する位置に形成されている。
前述したように、突起７３２，８３１２は、プロジェクター１の据置き姿勢（第１姿勢）において、整流部６の回動を規制し、突起７３３，８３１３は、プロジェクター１の天吊り姿勢（第２姿勢）において、整流部６の回動を規制する。突起７３２，８３１２は、第１規制部に相当し、突起７３３，８３１３は、第２規制部に相当する。
【００６１】
壁部８３２は、図３に示すように、筐体本体７の板状部７３４に組み合わされる部位であり、板状部７３４とで平面視矩形状の開口部５Ａが形成されるように形成されている。具体的に、壁部８３２は、図７に示すように、壁部８３１に接続される側縁部８３２ａ、側縁部８３２ａの上端および第１ダクト部８１に接続される上縁部８３２ｂ、および側縁部８３２ａの下端および第２ダクト部８２に接続される下縁部８３２ｃを有している。
【００６２】
図３に示すように、開口部５Ａ内には、開口部７３ａ，７３ｂ、および開口部７３ａ，７３ｂの＋Ｘ側に併設された平面視矩形の流入口５０Ａが設けられている。冷却ファン４１（図１参照）から送風された冷却空気は、流入口５０Ａおよび開口部７３ａ，７３ｂから流入する。後で詳細に説明するが、流入口５０Ａに流入した冷却空気は、第１流路１０および第２流路２０を流通する。そして、開口部７３ａに流入した冷却空気は、流路３０を流通し、開口部７３ｂに流入した冷却空気は、流路４０を流通する。
【００６３】
また、側縁部８３２ａ、上縁部８３２ｂ、および下縁部８３２ｃには、開口部５Ａを覆うメッシュ状の部材（図示省略）が嵌め込まれる溝８３２ｄ（図７参照）が形成されている。なお、流出口７２１ｄ（図５（ｂ）参照）にも、図示しないメッシュ状の部材が配置されており、発光管３１１１が破損した場合に、破片が光源装置３１の外部に飛散することを防ぐように構成されている。
ダクト部材８は、メッシュ状の部材が所定の位置に配置され、突起８１１，８２１が挿通孔７５１，７７１に挿通されて筐体本体７にネジ固定される。
【００６４】
図３に戻って、カバー９は、筐体本体７の−Ｘ側に組み合わされるように形成され、リフレクター３１２の−Ｘ側を覆う。カバー９には、図３に示すように、−Ｙ側の壁部に開口部９１が設けられ、図示は省略するが、＋Ｙ側の壁部にも開口部が設けられている。カバー９は、筐体本体７にネジ固定される。
【００６５】
次に、整流部６について説明する。
整流部６は、図３、図８に示すように、ダクト部材８内に配置され、回動自在に筐体本体７およびダクト部材８に支持される。整流部６は、流入口５０Ａに流入する冷却空気を分岐させ、据置き姿勢と天吊り姿勢とで第１流路１０および第２流路２０に流入させる冷却空気の風量を変更する。
【００６６】
図９は、整流部６の斜視図である。
整流部６は、板金で形成され、図９に示すように、平面視長方形の整流本体部６１、および整流本体部６１の一方の短辺側に設けられ、長辺から突出する一対の突起６２を有している。一対の突起６２は、一方が筐体本体７の凹部７３１（図４参照）に挿入され、他方がダクト部材８の切欠き８３１１（図８参照）に挿入される。そして、整流部６は、突出部７３と壁部７４との間に、中心軸７３ｊ（図４参照）を中心に回動自在に配置される。なお、整流部６は、一方の突起６２が凹部７３１（図４参照）に挿入され、突起７３２または突起７３３に支持された状態で、ダクト部材８が筐体本体７にネジ固定されることによって、筐体本体７およびダクト部材８に回動自在に支持される。
【００６７】
整流部６は、整流本体部６１の縁部が、据置き姿勢（第１姿勢）において、突起７３２，８３１２（第１規制部）に当接して回動が規制され、天吊り姿勢（第２姿勢）において、突起７３３，８３１３（第２規制部）に当接して回動が規制される。
整流部６は、据置き姿勢および天吊り姿勢において、下側となる流路より上側となる流路に多くの風量が流通するように回動する。また、整流部６は、据置き姿勢と天吊り姿勢とで、上側となる流路および下側となる流路それぞれの開口面積が異なるように回動する。すなわち、整流部６は、据置き姿勢において、下側となる第２流路２０の開口面積に対する上側となる第１流路１０の開口面積の比率（第１比率）と、天吊り姿勢（第２姿勢）において、下側となる第１流路１０の開口面積に対する上側となる第２流路２０の開口面積の比率（第２比率）とが異なるように回動する。
【００６８】
図１０は、第１比率と第２比率とが異なることを説明するための光源装置３１の模式図である。具体的に、図１０（ａ）は、据置き姿勢（第１姿勢）における光源装置３１を示す図であり、図１０（ｂ）は、天吊り姿勢（第２姿勢）における光源装置３１を示す図である。
【００６９】
図１０（ａ）に示すように、据置き姿勢において、整流部６が回動する中心軸７３ｊは、光軸３１Ｌの上方に位置し、整流部６は、中心軸７３ｊを通る水平面Ｈｐに対して傾斜角θａを有して配置される。据置き姿勢において、第２流路２０の開口面積２０Ｓａに対する第１流路１０の開口面積１０Ｓａの第１比率は、例えば、約５に設定される。
【００７０】
一方、図１０（ｂ）に示すように、天吊り姿勢において、整流部６は、水平面Ｈｐに対して傾斜角θａより小さな傾斜角θｂを有して配置される。天吊り姿勢において、第１流路１０の開口面積１０Ｓｂに対する第２流路２０の開口面積２０Ｓｂの第２比率は、例えば、約４に設定される。
【００７１】
このように、設置された姿勢において下側となる流路の開口面積に対する上側となる流路の開口面積の比率は、通風抵抗が大きい側の第１流路１０が下側となる場合（図１０（ｂ）参照））より、上側となる場合（図１０（ａ）参照）の方が大きくなるように設定される。また、換言すると、据置き姿勢において下側となる第２流路２０の開口面積２０Ｓａは、天吊り姿勢において下側となる第１流路１０の開口面積１０Ｓｂより小さく、据置き姿勢において上側となる第１流路１０の開口面積１０Ｓａは、天吊り姿勢において上側となる第２流路２０の開口面積２０Ｓｂより大きくなるように設定される。
なお、第１比率、第２比率として上述した数値は、第１比率と第２比率とが通風抵抗に対応して異なることを明確にするために例示したものであり、この数値に限定されるものでない。
【００７２】
〔冷却空気の流れ〕
ここで、冷却ファン４１から送風された冷却空気の流れについて説明する。
冷却ファン４１から送風された冷却空気は、光軸３１Ｌに交差する方向から開口部５Ａに流入する。
開口部５Ａに流入した冷却空気は、図３に示すように、流入口５０Ａ、開口部７３ａ、および開口部７３ｂに分岐してそれぞれの流路に流通する。
【００７３】
先ず、流入口５０Ａに流入した冷却空気の流れについて説明する。
図１０に示すように、流入口５０Ａに流入した冷却空気１００は、整流部６によって分岐され、第１流路１０と、第２流路２０とに流通する。
図１０（ａ）に示すように、据置き姿勢においては、第１流路１０の開口面積１０Ｓａが第２流路２０の開口面積２０Ｓａより大きいので、第１流路１０に流通する冷却空気１１０ａの風量は、第２流路２０に流通する冷却空気１２０ａの風量より多くなる。
【００７４】
図１１は、冷却空気の流れを説明するための図であり、（ａ）は据置き姿勢における筐体本体７を内側から見た図、（ｂ）は天吊り姿勢における筐体本体７を内側から見た図である。
図１０（ａ）、図１１（ａ）に示すように、据置き姿勢において、第１流路１０に流通する冷却空気１１０ａは、流出口７２１ａから流出し、光源３１１の上部を冷却し、第２流路２０に流通する冷却空気１２０ａは、流出口７２１ｂから流出し、光源３１１の下部を冷却する。冷却空気１１０ａの風量は、冷却空気１２０ａの風量より多いので、光源は、下部より高温となる上部が効率よく冷却される。
また、流出口７２１ａ近傍には、突起部７２１１，７２１２（図５（ａ）参照）が設けられているので、第１流路１０を流れる冷却空気１１０ａは、分散して流出口７２１ａから光源３１１に送風される。これによって、流出口７２１ａ近傍の乱流を抑制して第１流路１０を流れる冷却空気１１０ａを効率よく流出口７２１ａから流出させることが可能となる。同様に、流出口７２１ｂ近傍には、突起部７２１３，７２１４（図６参照）が設けられているので、冷却空気１２０ａを効率よく流出口７２１ｂから流出させることが可能となる。
【００７５】
一方、図１０（ｂ）、図１１（ｂ）に示すように、天吊り姿勢において、第１流路１０に流通する冷却空気１１０ｂは、流出口７２１ａから流出し、光源３１１の下部を冷却し、第２流路２０に流通する冷却空気１２０ｂは、流出口７２１ｂから流出し、光源３１１の上部を冷却する。冷却空気１２０ｂの風量は、冷却空気１１０ｂの風量より多いので、光源は、下部より高温となる上部が効率よく冷却される。
【００７６】
また、前述したように、第１流路１０および第２流路２０は、通風抵抗に対応して、据置き姿勢、天吊り姿勢それぞれの開口面積が設定されるので、据置き姿勢および天吊り姿勢において、光源３１１には、上部、下部に同様に冷却空気が送風される。
【００７７】
次に、開口部７３ａに流入した冷却空気の流れについて説明する。
開口部７３ａに流入した冷却空気は、流路３０（図５（ａ）参照）を流通し、図１１に示すように、流出口７２１ｃから流出し（冷却空気３００）、封止部３１１１ｂ（図２参照）に向かって送風される。このように、流路３０は、据置き姿勢および天吊り姿勢において、開口部７３ａから流入する冷却空気を光源３１１の上部と下部との間に導く。
また、冷却空気３００は、据置き姿勢および天吊り姿勢において、姿勢に影響されずに光源３１１の側方から封止部３１１１ｂに向かうので、封止部３１１１ｂ、すなわち、金属箔３１１６とリード線３１１４との接続部等（図２参照）は、双方の姿勢で同様に冷却される。
【００７８】
次に、開口部７３ｂに流入した冷却空気の流れについて説明する。
開口部７３ｂに流入した冷却空気は、流路４０（図５（ａ）参照）を流通し、図１１に示すように、流出口７１１ａから流出する（冷却空気４００）。冷却空気４００は、カバー９とリフレクター３１２との間を通って光源３１１の封止部３１１１ｃ（図２参照）近傍を冷却する。このように、流路４０は、据置き姿勢および天吊り姿勢において、開口部７３ｂから流入する冷却空気をリフレクター３１２の光を反射する側とは反対側に導く。
また、冷却空気４００は、据置き姿勢および天吊り姿勢において、姿勢に影響されずにリフレクター３１２の側方（＋Ｙ側）を流通して封止部３１１１ｃ近傍に向かうので、リード線３１１５等（図２参照）は、双方の姿勢で同様に冷却される。
【００７９】
そして、流出口７２１ａ，７２１ｂ，７２１ｃ，７１１ａから流出し、光源３１１を冷却して温まった空気は、流出口７２１ｄ（図１１参照）や、リフレクター３１２に設けられた開口部３１２３（図２参照）、およびカバー９に設けられた開口部９１等を介して光源装置３１外部に排出される。そして、光源装置３１外部に排出された空気は、排気ファン４２によって外装筐体２外部に排出される。
このように、光源装置３１は、据置き姿勢および天吊り姿勢において、光源用筐体５に設けられた複数の流路に導かれた冷却空気によって冷却される。
【００８０】
以上説明したように、本実施形態によれば、以下の効果を得ることができる。
（１）光源装置３１は、据置き姿勢および天吊り姿勢において、下部より高温となる光源３１１の上部に下部より多くの冷却空気を送風するので、光源３１１を効率よく冷却できる。
また、第１流路１０および第２流路２０の通風抵抗に対応してそれぞれの流路の開口面積が設定されるように整流部６が移動するので、第１流路１０および第２流路２０の形状の自由度を高めつつ、上下反転される使用において光源３１１の上下をバランスよく冷却し、長寿命化を図った光源装置３１の提供が可能となる。
また、プロジェクター１は、上述した光源装置３１を備えるので、小型化を図りつつ、据置き姿勢および天吊り姿勢において、長期に亘って安定した投写が可能となる。
【００８１】
（２）整流部６は、光源用筐体５に支持されて自重によって回動し、据置き姿勢（第１姿勢）において突起７３２，８３１２（第１規制部）に規制され、天吊り姿勢（第２姿勢）において突起７３３，８３１３（第２規制部）に規制されて位置が決められる。これによって、簡単な構造で、第１流路１０の開口面積および第２流路２０の開口面積の大きさを所望の大きさに変更することが可能となる。
【００８２】
（３）整流部６の回動する中心軸７３ｊは、据置き姿勢における光軸３１Ｌを通る水平面から離間しているので、第１流路１０および第２流路２０のうち、下側となる一方の開口面積に対する上側となる他方の開口面積の比率を、据置き姿勢と天吊り姿勢とで容易に変えることができる。
【００８３】
（４）光源用筐体５は、流入口５０Ａに併設された開口部７３ａ、および開口部７３ａから流入する冷却空気を光源３１１の上部と下部との間に導く流路３０を有している。これによって、同一側から送風される冷却空気で光源３１１の上部、下部に加え、上部と下部との間から光源３１１に冷却空気を送風することができる。これによって、据置き姿勢および天吊り姿勢において、さらに効率よく光源３１１を冷却することが可能となる。
【００８４】
（５）光源用筐体５は、流入口５０Ａに併設された開口部７３ｂ、および開口部７３ｂから流入する冷却空気をリフレクター３１２の光を反射する側とは反対側に導く流路４０を有している。これによって、同一側から送風される冷却空気で光源３１１の上部、下部に加え、リフレクター３１２の光を反射する側とは反対側（封止部３１１１ｃ近傍）に冷却空気を送風することができる。これによって、据置き姿勢および天吊り姿勢において、さらに効率よく光源３１１を冷却できる光源装置の提供が可能となる。
【００８５】
（変形例）
なお、前記実施形態は、以下のように変更してもよい。
前記実施形態では、第１流路１０の通風抵抗が第２流路２０の通風抵抗より大きくなるように構成されているが、第２流路の通風抵抗が第１流路の通風抵抗より大きくなるように構成してもよい。この構成の場合、据置き姿勢における第２流路の開口面積に対する第１流路の開口面積の比率は、天吊り姿勢における第１流路の開口面積に対する第２流路の開口面積の比率より小さく設定される。また、この構成の場合、整流部６が回動する中心軸を、据置き姿勢において、光軸３１Ｌを通る水平面から下方に位置するように構成してもよい。
【００８６】
整流部６は、板金で形成されているが、板金に限らず溶融された金属を成型によって形成してもよく、また金属に限らず、合成樹脂で形成してもよい。
【００８７】
制御部が据置き姿勢と天吊り姿勢とで冷却ファン４１を異なる回転速度で制御するように構成してもよい。これによって、整流部６の移動による第１流路１０および第２流路２０の開口面積の大きさの変更に加え、第１流路１０および第２流路２０に流通する冷却空気の風量や、風速を制御することができる。よって、据置き姿勢と天吊り姿勢とで、さらに同条件に近づけて光源を冷却することが可能となる。
【００８８】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００８９】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【符号の説明】
【００９０】
１…プロジェクター、２…外装筐体、３…光学ユニット、５…光源用筐体、６…整流部、７…筐体本体、８…ダクト部材、１０…第１流路、１０Ｓａ，１０Ｓｂ，２０Ｓａ，２０Ｓｂ…開口面積、２０…第２流路、３０，４０…流路、３１…光源装置、３１Ｌ…光軸、３６…投写レンズ、４１…冷却ファン、５０Ａ…流入口、７３ａ，７３ｂ…開口部、７３ｊ…中心軸、１００，１１０ａ，１１０ｂ，１２０ａ，１２０ｂ，３００，４００…冷却空気、３１１…光源、３１２…リフレクター、３５１，３５１Ｂ，３５１Ｇ，３５１Ｒ…液晶ライトバルブ（光変調装置）、７３２，８３１２…突起（第１規制部）、７３３，８３１３…突起（第２規制部）。
【図１】
2015165267.tif 000003
【図２】
2015165267.tif 000004
【図３】
2015165267.tif 000005
【図４】
2015165267.tif 000006
【図５】
2015165267.tif 000007
【図６】
2015165267.tif 000008
【図７】
2015165267.tif 000009
【図８】
2015165267.tif 000010
【図９】
2015165267.tif 000011
【図１０】
2015165267.tif 000012
【図１１】
2015165267.tif 000013